(57)【特許請求の範囲】
【請求項１】
モータと、
前記モータの駆動で回転するファンと、
前記モータ及び前記ファンを内設して吸込口を備えた本体と、
前記本体の右部に配置される排出口と、
前記本体の上部に配置される、把持用のハンドルと、
前記ハンドルよりも左側に配置され、電源となるバッテリーパックを装着するための装着部と、
前記ハンドルの左右に配置され、吊り下げ用のベルトを係止可能な係止部と、を備え、
前記本体の底部に、接地面が設けられており、
前記装着部は、前記本体から左側へ立設される突条と、前記突条内で上下方向に突出する一対の端子板と、を有することを特徴とする集塵機又はブロワ。
【請求項２】
前記接地面は、左側の第１の接地面と、右側の第２の接地面とを有し、
前記モータは、前記第１の接地面と前記第２の接地面との間に配置されることを特徴とする請求項１に記載の集塵機又はブロワ。
【請求項３】
前記係止部の左側に前記装着部が配置されることを特徴とする請求項１又は２に記載の集塵機又はブロワ。
【請求項４】
前記ハンドルの真下に前記モータが配置されることを特徴とする請求項１乃至３の何れかに記載の集塵機又はブロワ。
【請求項５】
ＯＮ操作して前記モータを駆動させるためのスイッチを有し、
前記スイッチはコントローラに電気的接続され、
前記ハンドルは、前記本体のハウジングと一体に形成されて上方へ突出し、
前記スイッチは、前記ハンドルの内部に配置されており、
前記コントローラは、前記本体の内部に配置されていることを特徴とする請求項１乃至４の何れかに記載の集塵機又はブロワ。
【発明の詳細な説明】
【技術分野】
【０００１】
本発明は、集塵機又はブロワに関する。
【背景技術】
【０００２】
集塵機は、例えば特許文献１に示すように、モータ及びそのモータの駆動で回転するファンを内設した本体に、吸込口と、フィルタと、排出口とを備えてなり、吸込口に接続したホースから外気を吸い込んで排出口から排気することで、外気と共に吸い込んだ塵埃等をフィルタで捕捉して集塵可能となっている。また、この集塵機は、電源としてバッテリを搭載すると共に、ハウジングにハンドルやベルトの係止部を設けて携帯可能となっている。
さらに、このような集塵機においては、排出口にホースやノズル等を接続して携帯することで、ブロワとしても使用可能なものが知られている。
【先行技術文献】
【特許文献】
【０００３】
【特許文献１】特開２００４−１６０２３５号公報
【発明の概要】
【発明が解決しようとする課題】
【０００４】
しかし、上記集塵機においては、フィルタを内設してハウジング内に集塵を行うものであるから、全体が大型化して重量も大きくなる。従って、携帯使用時の取り扱いがしにくい上、長時間使用すると作業者の負担も大きくなり、作業性の低下に繋がっていた。
【０００５】
そこで、本発明は、集塵機として定置使用やブロワとしての携帯使用が行えるのは勿論、特に携帯使用する際に良好な作業性が得られる集塵機又はブロワを提供することを目的としたものである。
【課題を解決するための手段】
【０００６】
上記目的を達成するために、請求項１に記載の発明は、モータと、モータの駆動で回転するファンと、モータ及びファンを内設して吸込口を備えた本体と、本体の右部に配置される排出口と、本体の上部に配置される、把持用のハンドルと、ハンドルよりも左側に配置され、電源となるバッテリーパックを装着するための装着部と、ハンドルの左右に配置され、吊り下げ用のベルトを係止可能な係止部と、を備え、本体の底部に、接地面が設けられており、装着部は、本体から左側へ立設される突条と、突条内で上下方向に突出する一対の端子板と、を有することを特徴とするものである。
請求項２に記載の発明は、請求項１の構成において、接地面は、左側の第１の接地面と、右側の第２の接地面とを有し、モータは、第１の接地面と第２の接地面との間に配置されることを特徴とするものである。
請求項３に記載の発明は、請求項１又は２の構成において、係止部の左側に装着部が配置されることを特徴とするものである。
請求項４に記載の発明は、請求項１乃至３の何れかの構成において、ハンドルの真下にモータが配置されることを特徴とするものである。
請求項５に記載の発明は、請求項１乃至４の何れかの構成において、ＯＮ操作してモータを駆動させるためのスイッチを有し、スイッチはコントローラに電気的接続され、ハンドルは、本体のハウジングと一体に形成されて上方へ突出し、スイッチは、ハンドルの内部に配置されており、コントローラは、本体の内部に配置されていることを特徴とするものである。
【発明の効果】
【０００７】
本発明によれば、ハンドル又はベルトを用いて本体を携帯する携帯使用と、本体を床等に定置する定置使用とが選択可能となる。特に、ダストバッグを別体で装着して集塵部を本体内に設けないので、本体がコンパクト且つ軽量化し、携帯使用する際の取り扱い性に優れて良好な作業性が得られる。
また、携帯使用の際のバランスがよくなり、取り扱い性が向上する。
【図面の簡単な説明】
【０００８】
【図１】集塵機の斜視図である。
【図２】集塵機の正面図である。
【図３】本体の斜視図で、（Ａ）が背面側から、（Ｂ）が正面側から見た状態を示す。
【図４】本体の説明図で、（Ａ）が平面、（Ｂ）が正面を夫々示す。
【図５】本体の説明図で、（Ａ）が背面、（Ｂ）が底面を夫々示す。
【図６】Ａ−Ａ線断面図である（バッテリーパックは省略）。
【図７】Ｂ−Ｂ線断面図である（バッテリーパックは省略）。
【図８】Ｃ−Ｃ線断面図である（バッテリーパックは省略）。
【図９】本体の分解斜視図である。
【図１０】バッグ本体の縦断面図である。
【図１１】本体の断面説明図である。
【図１２】ファンハウジングを取り外した本体の正面図である。
【図１３】モータの説明図で、（Ａ）が前方側からの斜視、（Ｂ）が後方側からの斜視、（Ｃ）が側面を夫々示す。
【図１４】ファン部分の拡大断面図で、（Ａ）が定常状態、（Ｂ）がスクロール室の内圧が上昇した状態を夫々示す。
【図１５】排出口の変更例を示す断面説明図である。
【図１６】変更例の集塵機の正面図である。
【図１７】変更例の集塵機の説明図で、（Ａ）が正面、（Ｂ）が斜視を夫々示す。
【発明を実施するための形態】
【０００９】
以下、本発明の実施の形態を図面に基づいて説明する。
［集塵機の全体構成］
図１，２に示す集塵機１は、内部にモータ及びファンを収容する四角箱状の本体２を有し、本体２の正面に吸込口３が、右側面上方に排出口４が夫々形成されて、吸込口３にホース５が、排出口４にダストバッグ６が夫々着脱可能に装着されている。７は電源となるバッテリーパックで、本体２の左側面に設けた装着部８へ着脱可能に装着されている。すなわち、ここでは本体２を中心として右側にダストバッグ６が、左側にバッテリーパック７が夫々対称に配置される形態となっている。
【００１０】
また、本体２の上面で前後方向の中央には、図３〜５にも示すように、ハンドル９が左右方向に形成される一方、本体２の底面には、平坦な定置面２ａが形成されて、定置面２ａの四隅に、下面（接地面）が球面状となるキャップ１０，１０・・が嵌着されている。  ここでのハンドル９は、上下方向の厚みが前後方向の幅よりも小さくなるように形成されている。これにより、ハンドル９を把持する手に余裕ができ、例えば吸込口３に接続したホースをハンドル９に重ねて片手で同時に把持したりすることができる。
なお、キャップ１０の下面を球面状としたのは、後述するように本体２のハウジングが前後方向で分割されることから、各分割ハウジングに抜き勾配が形成されても定置面２ａをがたつきなく接地させるためである。
【００１１】
［集塵機の詳細構成］
本体２内では、図６〜８に示すように、モータ１１が出力軸１２を正面に向けて横向きに収容されており、出力軸１２には、延長シャフト１３を介してファン１４がボルト１５によって直交状に取り付けられている。ここでモータ１１は、本体２の後方半分を構成する分割ハウジングとしてのモータハウジング１６の後方内面へ前向きに立設された保持筒１７内に収容されて、モータハウジング１６の前方に組み付けられた分割ハウジングとしてのファンハウジング１８の後面で、延長シャフト１３がボールベアリング１９によって軸支されている。ファンハウジング１８の前方には、これも分割ハウジングとなるファンカバー２０が組み付けられてファンハウジング１８との間にスクロール室２１を形成しており、延長シャフト１３は、ファンハウジング１８を貫通してファン１４をスクロール室２１の中央に配置している。２２は、図５にも示すように、本体２の底面に凹設されて保持筒１７の下面の一部を露出させる凹部である。
【００１２】
図９にも示すように、モータハウジング１６とファンハウジング１８とは、本体２の前後方向の略中央で組み合わされて複数のネジ２３ａ，２３ａ・・によって互いに連結されている。両ハウジング１６，１８の組付け面には、バッテリーパック７の装着部８及びハンドル９の半割部が夫々連設されている。さらに、装着部８とハンドル９との間には、両ハウジング１６，１８の組付け面を挟む一対の突起２４，２４が立設されて、一方の突起２４に設けたボス２５をネジ２３ａによって連結している。この係止部となるボス２５に、吊り下げ用のベルト（図示せず）の端部に設けたフックが係止可能となっている。同様に、本体２の右側面においても、両ハウジング１６，１８の組付け面を挟んで一対の突起２６，２６が立設され、両突起２６，２６間に係止部となるピン２７が架設されて、ここにもベルト端部のフックが係止可能となっている。
【００１３】
ファンカバー２０は、ファンハウジング１８にネジ２３ｂ，２３ｂによって固定されると共に、その前方からファンカバー２０及びファンハウジング１８を貫通してモータハウジング１６に螺合される長いネジ２３ｃ，２３ｃ・・によっても一体化されている。
吸込口３は、出力軸１２及びファン１４と同軸上でファンカバー２０に一体形成されて、排出口４は、ファンハウジング１８とファンカバー２０との組付け面で挟持された別体の筒体で形成されている。この排出口４は、スクロール室２１の上部から接線方向で横向きに形成された導出部２８と同軸で連結されている。２９，２９は、排出口４の開口端部に形成された一対のＬ字溝である。また、ファンハウジング１８とファンカバー２０との組付け面には、スクロール室２１の全周から排出口４の開口までに亘って、シール材３０が挟持されている。
【００１４】
なお、ダストバッグ６は、図１０に示すように、布製のバッグ本体３１の開口に、排出口４に外嵌されてＬ字溝２９を貫通する一対のピン３３，３３を内面に突出する装着筒３２を連結してなり、装着筒３２を排出口４にバヨネット結合可能としている。バッグ本体３１の上部には、ファスナー３４が、本体２側の面を除く３面に亘って平面視コの字状に設けられて、上部が蓋体６ａとして任意に開閉可能となっている。３５は、蓋体６ａに沿って長手方向の一端が縫着される帯状のカバーで、ファスナー３４によって蓋体６ａを閉じた状態では、ファスナー３４はカバー３５によって覆われて露出しないようになっている。
【００１５】
また、ファンカバー２０において、吸込口３内には複数のリブ３６〜３８が形成されている。このリブは、正面視で吸込口３の開口面内の上側から下向きに突設される一対の上リブ３６，３６と、開口面内の下側から上向きに突設される一対の下リブ３７，３７と、これらの上下リブ３６，３７の左右両側から斜めに交差する方向で吸込口３の中心を通る直径方向に対向して突設される一対の斜めリブ３８，３８とを有し、このうち上リブ３６と下リブ３７とは、吸込口３の上下方向の中央付近で互いに近接するまで突設されると共に、上下方向で互い違いとなる千鳥状に配置されている。斜めリブ３８は、上下リブ３６，３７よりも短い寸法で突設されている。これらのリブ３６〜３８は、吸込口３の軸方向では開口端から略半分となる位置まで形成されると共に、突出側の端面は、吸込口３の開口へ行くに従って徐々に突出量が小さくなる傾斜状となっている。
【００１６】
そして、ファンカバー２０の前方には、フロントカバー３９が装着されている。このフロントカバー３９は、ファンカバー２０に正面からネジ２３ｄ，２３ｄ・・によって固定されて、スクロール室２１及び導出部２８を含むファンカバー２０の略前面を覆い、中央部には、吸込口３の外側で同軸に配置される接続筒４０が設けられている。この接続筒４０は、図１１に示すように、吸込口３へ外嵌されるホース５の端部５ａを外側から覆う大きさで吸込口３よりも前方へ長く突出しており、開口縁には、端部５ａに設けた一対の突起５ｂと係合する一対の突条４１，４１が点対称位置で突設されている。すなわち、突起５ｂ，５ｂを突条４１，４１と位相をずらせた状態で端部５ａを吸込口３に外装させ、端部５ａの外周に設けたフランジ５ｃが接続筒４０に当接するまで接続筒４０内に差し込んで、突起５ｂ，５ｂが突条４１，４１と位相が一致するまで回転させれば、ホース５の端部５ａが接続筒４０に抜け止めされた状態で連結されて吸込口３と接続されるものである。
【００１７】
また、フロントカバー３９の内面には、図９に示すように、接続筒４０の開口と、導出部２８の前面を覆う突出端部４２とを電気的接続する金属製の第１アースプレート４３と第２アースプレート４４とが設けられている。第１アースプレート４３は、Ｌ字状に形成され、一端側を接続筒４０の内面に沿って前方へ突出させ、フック状に折り曲げた前端部４５を接続筒４０の開口に係止させている。他端側はフロントカバー３９の内面に沿って右上方向へ突出している。一方、第２アースプレート４４は、左右方向の横棒部４６と上下方向の縦棒部４７とからなるＴ字状に形成され、横棒部４６の左端を第１アースプレート４３の右端に当接させる一方、フック状に折り曲げた右端部４８をフロントカバー３９の突出端部４２に係止させている。
【００１８】
４９は、スクロール室２１の外側において導出部２８の根元に当たる舌部２１ａ（図７）でファンカバー２０及びファンハウジング１８を前後方向に貫通する金属製のアースピンで、前端が第２アースプレート４４の縦棒部４７の下端に当接する一方、後端が、モータハウジング１６の後面に突設されたネジ止め用のボス５０の前面に当接して位置決めされ、図示しないアース線によってモータ１１に電気的接続されている。
ここで、ホース５の端部５ａとダストバッグ６の装着筒３２とは、例えばカーボン入ポリプロピレン等の導電性樹脂で形成されており、ホース５を接続筒４０に接続すると、端部５ａが第１アースプレート４３の前端部４５に当接し、ダストバッグ６を排出口４に接続すると、装着筒３２が第２アースプレート４４の右端部４８に当接するようになっている。
【００１９】
一方、バッテリーパック７の装着部８は、本体２の左側面へＵ字状に立設される突条５１内に、一対の端子板５２，５２を上下方向へ平行に突出しており、バッテリーパック７の上面に設けた嵌合部７ａを突条５１内に上側から嵌合させ、嵌合部７ａに設けたストッパ７ｂが突条５１の上端に当接するまで下方へスライドさせると、図１１，１２に示すように、嵌合部７ａが突条５１に結合すると共に、端子７ｃ，７ｃが端子板５２，５２に電気的接続されて、バッテリーパック７はモータハウジング１６とファンハウジング１８とに跨って装着される。この装着状態で、バッテリーパック７の重心は本体２の重心よりも下方に位置している。なお、ここでは、バッテリーパック７の重心は、バッテリーパック７の未装着時の本体２の重心よりも下方に位置する設定となっている。バッテリーパック７の取り外しは逆に突条５１から上方へ嵌合部７ａをスライドさせることになる。
５３は、ハンドル９の左端に設けられたスイッチユニットで、ハンドル９の上面にＯＮ／ＯＦＦ操作部を露出させるスイッチプレート５４を上部に備えている。このスイッチユニット５３は、装着部８の端子板５２と共に本体２内のコントローラ５５に電気的接続されている。
【００２０】
そして、モータ１１は、図１３にも示すように、ケーシング６０内において、出力軸１２の後方寄りに冷却用ファン６１を備えており、ケーシング６０に形成された周方向の長孔である中窓６２，６２・・から冷却用ファン６１を外部に露出させている。ケーシング６０の前面には、周方向に長孔となる前窓６３，６３・・が形成される一方、ケーシング６０の後面には、端子６４，６４が突設されると共に、周方向に長孔となる後窓６５，６５・・が形成されている。
【００２１】
また、ケーシング６０には、前後からゴムカバー６６，６７が被着されている。このうち前側のゴムカバー６６は、中窓６２よりも前方を覆うと共に、前面中央部分がケーシング６０よりも前方へ突出して、ボールベアリング１９を保持する保持リング６８となっている。この保持リング６８は、図１４（Ａ）にも示すように、ファンハウジング１８の後面に突設されたリング状の内保持壁１８ａ内に嵌合して、保持リング６８の前面とファンハウジング１８の後面との間に、延長シャフト１３及びファン１４が貫通する貫通孔を含む連通部１８ｂを形成している。１８ｃは、内保持壁１８ａの外側でファンハウジング１８の後面に突設され、保持筒１７の先端が嵌合するリング状の外保持壁で、この外保持壁１８ｃと保持筒１７とにより、モータハウジング１６内にモータ１１を収容するモータ室１７ａが形成されている。
【００２２】
さらに、保持リング６８の前面には、リング状の溝６９が同軸で凹設されて、前端外周に薄肉のシール部７０を形成している。このシール部７０を含む保持リング６８の外周面は、内保持壁１８ａの内周面に近接して、モータ室１７ａとスクロール室２１とを連通させている。
加えて、ゴムカバー６６におけるケーシング６０の前端付近には、外周面が保持筒１７の内面に当接する前フランジ７１が周設されて、前フランジ７１から後方でゴムカバー６６の外周面には、前フランジ７１と同じ高さとなる軸方向の突条７２，７２・・が、ゴムカバー６６の周方向へ複数本突設されている。７３は、保持リング６８における前フランジ７１の前方に設けられて前窓６３を外部と連通させる開口である。
【００２３】
一方、後側のゴムカバー６７は、ケーシング６０の端子６４及び後窓６５を除いて中窓６２よりも後方を覆うスリーブ状で、前端には、外周面が保持筒１７の内面に当接する後フランジ７４が周設されて、後フランジ７４から後方でゴムカバー６７の外周面にも、後フランジ７４と同じ高さとなる軸方向の突条７５，７５・・が、突条７２と位相を合わせて複数本突設されている。
よって、モータ室１７ａ内には、ゴムカバー６６，６７に設けた前後フランジ７１，７４によって、中窓６２と連通する中空間７６、前窓６３と連通する前空間７７、後窓６５と連通する後空間７８が夫々仕切形成される。
【００２４】
そして、モータハウジング１６において、保持筒１７の下部には、図５に示すように、凹部２２内に開口する吹出口８１が形成される一方、モータ１１の後方に当たる背面側には、出力軸１２と同軸で後方へ突出する円形突起８２と、その円形突起８２の周囲に隣接して長円状に開口する複数の吸気口８３，８３・・とが形成されている。よって、モータ室１７ａ内の中空間７６は、吹出口８１を介して本体２の外部と連通し、後空間７８は、吸気口８３を介して本体２の外部と連通することになる。なお、保持筒１７の前端下側には、図９に示すように切欠き７９，７９・・が形成されて、前空間７７を凹部２２と連通させている。
【００２５】
［集塵機の作用］
以上の如く構成された集塵機１は、図１に示すように、吸込口３にホース５を、排出口４にダストバッグ６を、装着部８にバッテリーパック７を夫々装着した状態で床等に定置し、スイッチプレート５４をＯＮ操作すると、モータ１１が駆動して出力軸１２と共にファン１４が回転する。よって、吸込口３を介してホース５から外気が吸い込まれ、スクロール室２１の内部を周回し導出部２８を介して排出口４から排出される。ホース５を電動工具等に接続して外気と共に粉塵を吸い込むと、排出口４から排出されてダストバッグ６に捕捉され集塵される。
一方、吸込口３からホース５を取り外し、排出口４に図示しないノズルを接続すれば、ブロワとして使用可能となる。この場合、ハンドル９を把持したり、ボス２５及びピン２７にベルトを係止して肩に担いだりして携帯することができる。なお、ブロワとしての使は携帯に限らず、例えば排出口４にホースを接続すれば、本体２を地面等に定置したままでもホースのみの操作で任意の向きに送風可能となる。
【００２６】
ここで、本体２においては、モータ１１が駆動して冷却用ファン６１が回転すると、まずモータ１１の後方側では、外気が吸気口８３からモータ室１７ａ内に吸引されて後窓６５からケーシング６０内に導かれ、ケーシング６０内を前方へ移動して中窓６２から中空間７６内に排出されて、吹出口８１から凹部２２、すなわち本体２の外部へ排気される。
また、モータ１１の前方側では、切欠き７９を介して凹部２２から吸い込まれる空気が、前空間７７及び開口７３を通って前窓６３からケーシング６０内に導かれ、ケーシング６０内を後方へ移動して中窓６２から空間７６内に排出され、吹出口８１から凹部２２に排気される。これらの通気路によってモータ１１が冷却される。
【００２７】
このとき、モータ冷却後の空気が排出される中空間７６は、前後フランジ７１，７４によって冷却前の空気が吸引される前後空間７７，７８と区画されているので、モータ室１７ａ内でモータ冷却後の空気が再びケーシング６０内に吸引されて循環することがなくなる。よって、新鮮な空気でモータ１１が冷却可能となる。
【００２８】
一方、ダストバッグ６内に粉塵が貯留して排気抵抗が増すと、スクロール室２１内の圧力が高まり、スクロール室２１と連通する連通部１８ｂ内でも圧力が高まる。すると、図１４（Ｂ）に示すように、保持リング６８が前方から押されて放射方向へ拡がり、シール部７０が内保持壁１８ａの内周面に押圧されるため、連通部１８ｂがシールされる。よって、粉塵がスクロール室２１内に滞留しても、モータ室１７ａ内の前空間７７に侵入しにくくなり、モータ１１の防塵性が維持される。
【００２９】
また、吸込口３には、リブ３６〜３８が設けられているので、フィルタ機能が発揮されて大きな木片や塵埃はここで阻止され、スクロール室２１内に吸い込まれることはない。
さらに、集塵の際に、吸込口３から吸い込まれた粉塵が木屑等の（−）に帯電しやすい材料であれば、端部５ａや吸込口３との摩擦によって（−）に帯電する静電気を生じさせ、対する端部５ａや吸込口３を（＋）に帯電させる。その後、帯電した粉塵がスクロール室２１を通過して排出口４から排出される際、排出口４や装着筒３２に接触することで、（−）電荷は排出口４や装着筒３２に落とされる。ここで、ホース５の端部５ａと装着筒３２とは第１、第２アースプレート４３，４４によって電気的接続されているので、吸込側の（＋）電荷と排出側の（−）電荷とは第１、第２アースプレート４３，４４を介して結合し消滅する。同様に、粉塵との摩擦によってファン１４が（＋）に帯電しても、アースピン４９からモータ１１に落とされる（−）電荷と結合して消滅することになる。
【００３０】
［集塵機の効果］
このように、上記形態の集塵機１によれば、本体２に、バッテリーパック７の装着部８と、把持用のハンドル９と、ベルトを係止するボス２５及びピン２７を夫々設ける一方、本体２の底面に、ダストバッグ６とバッテリーパック７とを装着した状態で定置可能な定置面２ａを形成したことで、ハンドル９又はベルトを用いて本体２を携帯する携帯使用と、本体２を床等に定置する定置使用とが選択可能となる。特に、ダストバッグ６を別体で装着して集塵部を本体２内に設けないので、本体２がコンパクト且つ軽量化し、ブロワとして携帯使用する際の取り扱い性に優れて良好な作業性が得られる。
【００３１】
一方、本体２のハウジングを、モータハウジング１６とファンハウジング１８とを含む複数の分割ハウジングを組み付けて形成し、バッテリーパック７をモータハウジング１６とファンハウジング１８との間に跨って装着しているので、バッテリーパック７がバランス良く装着可能となり、安定性の向上が期待できると共に、端子板５２の組み付けも簡単に行える。
また、ハンドル９を本体２の上部に設ける一方、排出口４を本体２の右側面に、装着部８を左側面に夫々設けて、バッテリーパック７を、正面視で本体２を挟んでダストバッグ６の反対側となるように配置しているので、携帯使用の際のバランスがよくなり、取り扱い性が向上する。
【００３２】
さらに、ハンドル９を、ダストバッグ６とバッテリーパック７とが並ぶ左右方向に形成したことで、例えば作業者が体の横でハンドル９を把持した際にはダストバッグ６とバッテリーパック７とが前後に位置する向きとなり、携帯使用した際にダストバッグ６とバッテリーパック７とが作業の邪魔になるおそれが少なくなる。
加えて、装着部８は、バッテリーパック７を本体２の上方からスライド結合させる構成となっているので、定置使用の際のバッテリーパック７の着脱がしやすくなると共に、バッテリーパック７が偶発的に装着部８から抜け落ちるおそれもなくなる。
そして、バッテリーパック７の重心位置がバッテリーパック７未装着時の本体２の重心位置より低くなるようにバッテリーパック７を装着しているので、より安定性が高まるようになっている。
【００３３】
［集塵機の変更例］
集塵機は上記形態に限らず、例えば排出口と装着部とを左右逆に設けてダストバッグとバッテリーパックの配置を逆にしたり、バッテリーパックの装着を前方又は後方からのスライド結合としたり、スライド結合に代えてバッテリパックを差し込む差し込み結合としたり、ハンドルの向きを変えたり等、適宜設計変更可能である。
【００３４】
また、図１５に示す集塵機１ａのように、本体２の排出口４を下向きに形成することも可能である。このようにすれば排出口４内での粉塵等の逆流が防止でき、ダストバッグ６への確実な集塵が可能となる。また、排出口４の上方でファンカバー２０をネジ止めするネジボス５６を先の形態のように本体２の上面より上方へ突出させることなく形成できるので、本体２からの余分な出っ張りが少なくなって使用感の向上に繋がる。さらに、自然に送風が下向きになるためブロワとしての使い勝手が良好となる。
【００３５】
さらに、図１６に示す集塵機１ｂのように、ダストバッグ６における本体２側の上辺にベルト通し５７を設けて、このベルト通し５７にピン２７側のベルト５８を通過させるようにしてもよい。このようにすれば、ベルト５８で本体２を携帯した際に、粉塵等でダストバッグ６の重量が大きくなってもベルト５８によって本体２側へ引っ張られ、ダストバッグ６が下方へ垂れにくくなる。なお、ベルト通し５７はもっと外側（本体２から離れる側）でダストバッグ６の上面に設けてもよいし、複数設けてもよい。
【００３６】
一方、バッテリーパックの装着位置は本体の側面に限らず、例えば図１７に示す集塵機１ｃのようにバッテリーパック７を本体２の底面に装着することもできる。ここでは装着部８をモータハウジング１６とファンハウジング１８との組付け面で左右方向に形成しており、バッテリーパック７を本体７の右側下方から左方向へスライドさせることで、本体７の底面で両ハウジング１６，１８に跨ってバッテリーパック７を装着可能としている。
８４，８４・・は、キャップ１０を下端に備えて上端が本体２の定置面２ａの四隅に装着された脚で、この脚８４によって本体２の下方にバッテリーパック７の装着スペースを形成している。
【００３７】
また、８５は、左側のボス２５に遊挿させたリングで、このリング８５にベルトの端部を係止させることで、ベルトで携帯した際にベルトがハンドル９の側方を通ってハンドル９と干渉しにくくなり、ハンドル９が携帯に好適な位置となる。
このようにバッテリーパック７を本体２の底面に装着したことで、バッテリーパック７を装着した状態での全体の重心位置がより低くなって安定性が向上する。また、バッテリーパック７が本体２の前後左右の面から突出しないため、平面視でコンパクトな形状となり、携帯した際の作業や持ち運びがしやすいという利点もある。
【符号の説明】
【００３８】
１，１ａ，１ｂ，１ｃ・・集塵機、２・・本体、２ａ・・定置面、３・・吸込口、４・・排出口、５・・ホース、６・・ダストバッグ、７・・バッテリーパック、８・・装着部、９・・ハンドル、１１・・モータ、１２・・出力軸、１４・・ファン、１６・・モータハウジング、１７・・保持筒、１７ａ・・モータ室、１８・・ファンハウジング、１８ａ・・連通部、１９・・ボールベアリング、２０・・ファンカバー、２１・・スクロール室、２１ａ・・舌部、２２・・凹部、２３ａ〜２３ｄ・・ネジ、２５・・ボス、２７・・ピン、２８・・導出部、３１・・バッグ本体、３４・・ファスナー、３５・・カバー、３６・・上リブ、３７・・下リブ、３８・・斜めリブ、３９・・フロントカバー、４０・・接続筒、４３・・第１アースプレート、４４・・第２アースプレート、４９・・アースピン、５１・・突条、６０・・ケーシング、６１・・冷却用ファン、６２・・中窓、６３・・前窓、６５・・後窓、６６，６７・・ゴムカバー、６８・・保持リング、７０・・シール部、７１・・前フランジ、７４・・後フランジ、７６・・中空間、７７・・前空間、７８・・後空間、８１・・吹出口、８２・・円形突起、８３・・吸気口、８４・・脚。
【図１】
0005485715.tif 000002
【図２】
0005485715.tif 000003
【図３】
0005485715.tif 000004
【図４】
0005485715.tif 000005
【図５】
0005485715.tif 000006
【図６】
0005485715.tif 000007
【図７】
0005485715.tif 000008
【図８】
0005485715.tif 000009
【図９】
0005485715.tif 000010
【図１０】
0005485715.tif 000011
【図１１】
0005485715.tif 000012
【図１２】
0005485715.tif 000013
【図１３】
0005485715.tif 000014
【図１４】
0005485715.tif 000015
【図１５】
0005485715.tif 000016
【図１６】
0005485715.tif 000017
【図１７】
0005485715.tif 000018